(57)【要約】【構成】印打部材２により遊技球を印打発射する遊技機において、印打部材２、印打部材ストッパー３、印打部材駆動源４、発射レール５、ハンドル装置６を発射装置台板７に組み込み、ユニット化して該ユニット化した発射装置台板７を遊技機の下枠１に組み付ける遊技球発射装置【効果】ユニット化した発射装置で全ての調整ができるため、実機ではセット後の確認のみの作業となり、作業性が著しく向上する。また、ユニット化された発射装置を簡単に着脱できる構造のためユニット化された発射装置毎の検査において、検査用の擬似台に取り付けて球飛びの調整及び確認ができるようになり、より均一な精度の高い発射装置として供給できるものである。さらに、ユニット化によって精度が向上し、リリュース、リサイクルも簡単になった。【選択図】      図３
2004187988.tif 000002
【特許請求の範囲】
【請求項１】
印打部材により遊技球を印打発射する遊技機において、印打部材、印打部材ストッパー、印打部材駆動源、発射レール、ハンドル装置を発射装置台板に組み込み、ユニット化して該ユニット化した発射装置台板を遊技機の下枠に組み付けることを特徴とする遊技球発射装置
【請求項２】
請求項１記載の遊技球発射装置における印打部材、印打部材ストッパー、印打部材駆動源、発射レール、ハンドル装置を発射装置台板に組み込み、ユニット化した発射装置台板を遊技盤枠の下枠に形成した開口空間部に対して一方向、例えば表側、または裏側より取り付け可能にしたことを特徴とする遊技球発射装置。
【請求項３】
球の印打発射をバネの反発力により発射槌を動かし行うものにおいて、そのバネに反発力を蓄えるための電磁アクチュエーターの駆動制御回路、また電磁アクチュエーターの出力制御により球の飛び力を制御するものにおいては、その駆動制御回路を同一ユニットに組み付けたことを特徴とする請求項１または請求項２に記載の遊技球発射装置。
【発明の詳細な説明】
【０００１】
【発明の属する技術分野】
本発明は、パチンコ遊技機等の遊技球発射装置の取付構造に関するものである。
【０００２】
【従来の技術】
従来のパチンコ機の遊技球発射装置は、パチンコ遊技機の遊技盤を装着するための左右の側枠・上枠・下枠により矩形状に一体に形成された遊技盤枠と、遊技球を発射するための駆動手段、発射手段、発射球誘導手段を取り付けるための発射装置台板とを、それぞれ型内に充填固化する方法により成型加工すると共に、該遊技盤枠の下枠に該発射装置台板を取り付ける手段として、遊技盤枠に少なくとも発射装置台板を設け、該駆動手段を内蔵するための嵌合凸部が嵌入し得る取付穴と該取付穴の周囲の適宜位置に複数のホゾ孔とを、前記成形加工により一体に設けたことを特徴とするパチンコ遊技機（例えば、特許文献１参照）が存在している。
また、ベースプレートに駆動制御回路を組み込んだパチンコ機に打球発射ユニット（例えば、特許文献２参照）、さらに、印打用ソレノイドを発射レールとガイドをアッセンブリユニットに組み込んだパチンコ用球発射装置（例えば、特許文献３参照）が存在している。
【０００３】
【特許文献１】
特開平１１−１１４１５８号公報（特許請求の範囲、図１）
【特許文献２】
実開平３−１０７９８２号公報（実用新案登録請求の範囲、第１図）
【特許文献３】
特開平８−１４１１５１号公報（要約、図１）
【０００４】
ところが、一般の遊技球発射装置は、前面枠の後方にセット板、ベース部材を有し、セット板に発射レールを、ベース部材に発射槌駆動源、発射槌を組み付け、前面枠に対して前方から発射ハンドルを、後方からセット板及びベース板を組み付けていたため、遊技球発射装置の飛び調整が各部材の取り付け毎に変化し、しかもゆがみが微妙に発生してしまう。しかも、飛び調整は遊技台に組み込んだ実機によって調整する必要があり、狭いところでの作業となり、とても作業性の悪いものであった。
【０００５】
【発明が解決しようとする課題】
以上のように、前記従来技術におけるパチンコ遊技機は、発射槌、槌ストッパー、発射槌駆動源を組み立てて提供する部品メーカーと、セット板に発射レールを組み立てて提供する部品メーカーと、ハンドル装置を提供する部品メーカーとが各々ばらばらで相違しているため、これらをそれぞれ取り寄せて、パチンコ遊技機メーカーが組み立てている。それは、セット板に発射レールを、ベース部材に発射槌駆動源、発射槌を組み付けユニット化したものを遊技機の前面枠の後方から組み付け、前面枠の前方からハンドル装置を組み付けて、発射装置を遊技機にセットするので、飛び調整は実機に組み込んでから行う必要があり、狭い所での作業となり、作業性が悪いという問題があった。
【０００６】
また、発射装置として実際に近い状態で品質の確認をするためには、実機に組み込むしか方法がなく、また、組み込む作業においての個体差によりその取り付けられたものしか品質の評価はできないという問題があった。
【０００７】
本発明は、このような事情に鑑み、飛び調整が簡単にできるようにユニット化する。すなわち印打部材、印打部材ストッパー、印打部材駆動源、発射レール、ハンドル装置を組み込むことでセット板とベース板の嵌合が容易になり、精度が保たれるようにユニット化させた遊技球発射装置を提供することを目的とするものである。
【０００８】
【課題を解決するための手段】
本発明は、前記課題の解決を図ったもので、次のような技術手段を採用した。
請求項１記載の発明においては、印打部材により遊技球を印打発射する遊技機において、印打部材、印打部材ストッパー、印打部材駆動源、発射レール、ハンドル装置を発射装置台板に組み込み、ユニット化して該ユニット化した発射装置台板を遊技機の下枠に設けるという技術手段を採用した。
【０００９】
請求項２記載の発明においては、請求項１記載の遊技球発射装置における印打部材、印打部材ストッパー、印打部材駆動源、発射レール、ハンドル装置を発射装置台板に組み込み、ユニット化した発射装置台板を遊技盤枠の下枠に形成した開口空間部に対して一方向、例えば表側、または裏側より取り付け可能にするという技術手段を採用した。
【００１０】
請求項３記載の発明においては、請求項１または請求項２記載の遊技球発射装置に加えて、球の印打発射をバネの反発力により発射槌を動かし行うものにおいて、そのバネに反発力を蓄えるための電磁アクチュエーター（モーター等）の駆動制御回路、また電磁アクチュエーター（ソレノイド等）の出力制御により球の飛び力を制御するものにおいては、その駆動制御回路を同一ユニットに組み付けるという技術手段を採用した。
【００１１】
【実施例】
以下、図１〜図３に基づいて本発明の一実施例を詳細に説明する。
図面は一実施例を示したもので、パチンコ遊技機等の遊技球発射装置である。遊技盤を装着する遊技盤枠を左右の側枠、上枠、下枠により矩形状に一体に形成し、その遊技盤枠（図示しない）の下枠１に印打部材２、印打部材ストッパー３、印打部材駆動源４、発射レール５、ハンドル装置６を発射装置台板７に組み込んでユニット化した発射装置８を図１に示すように遊技盤枠の下枠１の右領域部にハンドル装置６まで組み込んだユニット化した発射装置８を嵌入し得る上部を切り欠いた取付開口部９に一方向から（本実施例では表側から）発射レール５と発射装置台板７は下枠１の上方を通過される状態で、その他の各組み立てられた部材は嵌り込むように取付開口部９を開設し、その周囲にユニット化した発射装置８を取り付けるホゾ孔１０、取り付け孔１１を穿設する。このホゾ孔１０、取り付け孔１１に対向係合できるように発射装置台板７にホゾと凸部を設け、このホゾと凸部をホゾ孔１０と取り付け孔１１に係合取り付けることで正確に位置決めされる。
【００１２】
発射装置台板７は、取付開口部９の全周縁部に当接し、かつ複数のホゾ孔１０や取り付け孔１１に対応するように、ホゾや凸部および発射機能部品である印打部材２、発射レール５、印打部材２の回動範囲を規制するための印打部材ストッパー３等が一体に取り付けられるに充分な大きさの取付開口部９とし、さらにこの取付開口部９にハンドル装置６も一体的に組み立てユニット化した遊技球発射装置に組み立てセットするものである。実施例取付開口部９であるが、ユニットをセットするのに充分なスペースの穴形状でもよい。
【００１３】
また、図面は示されていないが、図１〜図３に示されている発射装置台板７の表面に印打部材ストッパー３、発射レール５及び印打部材２を回動自在に枢着し、該発射装置台板７表面に印打部材駆動用の駆動制御回路を取り付け、さらにハンドル装置６を取り付けたものである。
【００１４】
なお、遊技盤枠（図示しない）下枠１の右領域部に印打部材２、印打部材ストッパー３、印打部材駆動源４、発射レール５、ハンドル装置６を発射装置台板７に組み込んでユニット化した発射装置８を取り付けた実施例を説明したが、その取り付け位置は遊技盤の構成上、必要な発射台の位置に合わせて適宜選択できることはいうまでもない。
【００１５】
以上のように、発射装置台板７表面に印打部材駆動用の駆動制御回路を取り付けたが、発射装置台板７表面に限定されるのではなく、ユニットのどこに設置されてもよいものである。
【００１６】
印打部材２、印打部材ストッパー３、印打部材駆動源４、発射レール５、ハンドル装置６を発射装置台板７に組み込み、ユニット化した遊技球発射装置８を遊技機本体の遊技盤枠の下枠１に一方向から組み付ける構造であるため、容易に遊技機本体の遊技盤枠の下枠１と着脱可能の構造で、しかもガイド機構を持って遊技機本体の遊技盤枠の下枠１との位置合わせが容易かつ確実であり、ユニット化した発射装置８を擬似台に取り付け、発射調整を行うことで、実機に近い調整を行うことができる。印打部材の駆動源としては、直線ソレノイド等が考えられる。
【００１７】
なお前記実施例では、印打部材を円弧状に動作する発射槌であるが、直線的動作による印打部材及びその駆動源等の設計は当然可能である。
【００１８】
【発明の効果】
本発明は、以上の構成を採用した結果、次のような効果を得ることができる。
（１）ユニット化した発射装置で全ての調整ができるため、実機ではセット後の確認のみの作業となり、作業性が著しく向上する。
（２）ユニット化された発射装置を簡単に着脱できる構造のためユニット化された発射装置毎の検査において、検査用の擬似台に取り付けて球飛びの調整及び確認ができるようになり、より均一な精度の高い発射装置として供給できるものである。
（３）ユニット化によって精度が向上し、リリュース、リサイクルも簡単になった。
【図面の簡単な説明】
【図１】本発明の一実施例に関する遊技球発射装置の取り付け状態を示す斜視図である。
【図２】本発明の一実施例に関する遊技球発射装置を下枠に取り付ける状態を示す分解斜視図である。
【図３】本発明の一実施例に関する遊技球発射装置を示す斜視図である。
【符号の説明】
１‥‥下枠                          ２‥‥印打部材
３・・・・印打部材ストッパー            ４・・・・印打部材駆動源
５・・・・発射レール                    ６・・・・ハンドル装置
７・・・・発射装置台板                  ８・・・・発射装置
９・・・・取付開口部                  １０・・・・ホゾ孔
１１・・・・取り付け孔
【図１】
2004187988.tif 000003
【図２】
2004187988.tif 000004
【図３】
2004187988.tif 000005